(57)【要約】【課題】ワイヤレスモジュールとコントローラーモジュールを有する携帯通信装置を提供する。【解決手段】ワイヤレスモジュールとコントローラーモジュールを有する携帯通信装置が提供される。ワイヤレスモジュールは、サービスネットワーク間の無線伝送と受信を実行する。コントローラーモジュールは、ワイヤレスモジュールにより、サービスネットワークから、複数の所望の位置情報要素を示す位置情報要求を受信し、所望の位置情報要素の一部、又は、全部がサポートされるか判断する。また、コントローラーモジュールは、ワイヤレスモジュールにより、サポートされない位置情報要素を示す位置情報応答だけをサービスネットワークに伝送し、サポートされない所望の位置情報要素の一部、又は、全てに応答する。【選択図】図１
2011254456.tif 000002
【特許請求の範囲】
【請求項１】
携帯通信装置であって、
サービスネットワーク間の無線伝送と受信を実行するワイヤレスモジュールと、
前記ワイヤレスモジュールにより、前記サービスネットワークから、複数の所望の位置情報要素を示す位置情報要求を受信し、所望の位置情報要素の一部、又は、全てがサポートされないか判断し、前記ワイヤレスモジュールにより、前記サポートされない位置情報要素を示す位置情報応答だけを前記サービスネットワークに伝送し、前記サポートされない所望の位置情報要素の一部、又は、全てに応答するコントローラーモジュールと、
を含むことを特徴とする携帯通信装置。
【請求項２】
前記位置情報要求は、ＬＴＥ位置プロトコル（Ｐｏｓｉｔｉｏｎｉｎｇ  Ｐｒｏｔｏｃｏｌ）（ＬＰＰ）能力要求メッセージ、又は、ＬＬＰ位置要求情報メッセージで、前記位置情報応答は、ＬＰＰ能力提供メッセージ、又は、ＬＰＰ位置情報提供メッセージであることを特徴とする請求項１に記載の携帯通信装置。
【請求項３】
前記コントローラーモジュールは、更に、前記位置情報要求が前記ＬＰＰ能力要求メッセージで、前記所望の位置情報要素全てがサポートされない時、前記位置情報要求を放棄、又は、無視し、前記位置情報応答を前記サービスネットワークに伝送しないことを特徴とする請求項２に記載の携帯通信装置。
【請求項４】
前記コントローラーモジュールは、更に、前記ワイヤレスモジュールにより、複数の所望の位置支援データ要素を示す位置支援データ要求を前記サービスネットワークに伝送し、且つ、前記サービスネットワークは、前記位置支援データ要求だけに応答し、位置支援データ応答は、前記所望の位置支援データ要素の一部、又は、全部がサポートされないことを示すことを特徴とする請求項１に記載の携帯通信装置。
【請求項５】
前記位置支援データ要求はＬＬＰ支援データ要求メッセージで、前記位置支援データ応答はＬＬＰ支援データ提供メッセージであることを特徴とする請求項４に記載の携帯通信装置。
【請求項６】
前記サービスネットワーク間の前記無線送受信は、ロングタームエボリューション（ＬＴＥ）技術の通信プロトコルに基づくことを特徴とする請求項１に記載の携帯通信装置。
【請求項７】
サービスネットワークであって、
携帯通信装置間の無線伝送と受信を実行するアクセスノードと、
前記アクセスノードにより、前記携帯通信装置から、複数の所望の位置支援データ要素を示す位置支援データ要求を受信し、前記所望の位置支援データ要素の一部、又は、全てが示されないか判断し、また、前記アクセスノードにより、前記サポートされない位置支援データ要素を含む位置支援データ応答だけを前記携帯通信装置に伝送し、前記サポートされない所望の位置支援データ要素の一部、又は、全てに応答する制御ノードと、
を含むことを特徴とするサービスネットワーク。
【請求項８】
前記位置支援データ要求はＬＰＰ支援データ要求メッセージで、前記位置支援データ応答はＬＬＰ支援データ提供メッセージであることを特徴とする請求項７に記載のサービスネットワーク。
【請求項９】
前記移動通信装置間の前記無線送受信は、ロングタームエボリューション（ＬＴＥ）技術の通信プロトコルに基づくことを特徴とする請求項７に記載のサービスネットワーク。
【請求項１０】
携帯通信装置の位置情報を通知する方法であって、
サービスネットワークにより、前記携帯通信装置から、複数の所望の位置支援データ要素を示す位置支援データ要求を受信するステップと、
前記携帯通信装置により、前記所望の位置支援データ要素の一部、又は、全てがサポートされないか判断するステップと、
前記携帯通信装置により、前記サポートされない位置支援データ要素を含む位置支援データ応答だけを前記サービスネットワークに伝送して、サポートされない前記所望の位置支援データ要素の一部、又は、全てに応答するステップと、
を含むことを特徴とする方法。
【請求項１１】
前記位置情報要求は、ＬＰＰ能力要求メッセージ、又は、ＬＬＰ位置情報要求メッセージで、前記位置情報応答は、ＬＰＰ能力提供メッセージ、又は、ＬＰＰ位置情報提供メッセージであることを特徴とする請求項１０に記載の方法。
【請求項１２】
更に、前記位置情報応答が前記ＬＰＰ能力要求メッセージで、前記所望の位置情報要素の全てがサポートされない時、前記携帯通信装置により、前記位置情報要求を放棄、又は、無視し、前記サービスネットワークに、前記位置情報応答を伝送しないステップを含むことを特徴とする請求項１１に記載の方法。
【請求項１３】
前記携帯通信装置と前記サービスネットワークは、ロングタームエボリューション（ＬＴＥ）技術の通信プロトコルに基づくことを特徴とする請求項１０に記載の方法。
【請求項１４】
サービスネットワークの位置情報を通知する方法であって、
前記サービスネットワークにより、携帯通信装置から、複数の所望の位置支援データ要素を示す位置支援データ要求を受信するステップと、
前記サービスネットワークにより、前記所望の位置支援データ要素の一部、又は、全てがサポートされないか判断するステップと、
前記サービスネットワークにより、前記サポートされない位置支援データ要素を含む位置支援データ応答だけを前記携帯通信装置に伝送して、前記サポートされない所望の位置支援データ要素の一部、又は、全てに応答するステップと、
を含むことを特徴とする方法。
【請求項１５】
前記位置支援データ要求はＬＰＰ支援データ要求メッセージで、前記位置支援データ応答はＬＬＰ支援データ提供メッセージであることを特徴とする請求項１４に記載の方法。
【請求項１６】
前記携帯通信装置と前記サービスネットワークは、ロングタームエボリューション（ＬＴＥ）技術の通信プロトコルに基づくことを特徴とする請求項１４に記載の方法。
【発明の詳細な説明】
【技術分野】
【０００１】
本発明は、位置情報の通知に関するものであって、更に特に、追加的指示なしで、一般応答を用いて、携帯通信装置の位置情報を通知する装置及び方法に関するものである。
【背景技術】
【０００２】
移動通信環境中、ユーザー装置（ＵＥ）は、サービスネットワークのセルラー局により、一つ、又は、それ以上のサービスネットワークから、音声サービスとデータサービスを含む無線通信サービスを受信する。ＵＥとサービスネットワーク間の無線通信は、様々な無線技術に従い、例えば、グローバルシステムフォーモバイルコミュニケーションズ（ＧＳＭ）技術、ジェネラルパケットラジオサービス（ＧＰＲＳ）技術、進化型高速データレート（ＥＤＧＥ）技術、広帯域符号分割多元接続（ＷＣＤＭＡ）技術、符号分割多元接続２０００（ＣＤＭＡ２０００）技術、時分割複信−符号分割多元接続（ＴＤ−ＳＣＤＭＡ）技術、ワイマックス（ＷｉＭＡＸ）技術、ロングタームエボリューション（ＬＴＥ）技術等である。無線通信の分野で、範囲を増加させるため、位置情報サービス（ＬＢＳ）は人気のデータサービスになっている。ＬＢＳは、個人、ＵＥ、又は、物体の地理的な位置を利用し、無線アクセス能力を用いて提供される情報と娯楽サービスである。例えば、ＬＢＳサービスは、小包追跡や車両追跡サービス、個人の気象サービス、ロケーションベースのゲーム、及び、使用者の位置に基づいて、クーポンや広告の方式によるモバイルコマース等である。
【０００３】
３ＧＰＰ  ＴＳ  ３６．３０５  ｖ．９．３．０（３６．３０５仕様を参照する）仕様に従ったＬＴＥ技術を例とすると、位置工程は、ＵＥ、又は、サービスネットワークにより初期化されて、位置能力、支援データ、及び、位置工程に関連する位置情報と通信する。ＵＥとサービスネットワークの一つが、位置能力、支援データ、又は、位置情報を要求する時、ＵＥとサービスネットワークのもう一つは、まず、要求された全情報がサポートされるかを確認する。その場合、ＵＥとサービスネットワークのもう一つが、要求された情報を含む一般応答に応答する。反対に、要求された情報の一部、又は、全てがサポートされない場合、ＵＥとサービスネットワークのもう一つが、サポートされる情報を含む一般応答に応答し、追加的指示を加え、サポートされない情報が、発信ＵＥ、又は、サービスネットワークに示される。しかし、仕様中では、指示が何か、及び、どのようにこの指示を伝送するかが明確に説明されていない。
【発明の概要】
【発明が解決しようとする課題】
【０００４】
よって、本発明は、位置情報を通知する装置及び方法を提供し、上述の問題を解決することを目的とする。
【課題を解決するための手段】
【０００５】
本発明の一態様中、ワイヤレスモジュールとコントローラーモジュールを有する携帯通信装置が提供される。ワイヤレスモジュールは、サービスネットワーク間の無線伝送と受信を実行する。コントローラーモジュールは、ワイヤレスモジュールにより、サービスネットワークから、複数の所望の位置情報要素を示す位置情報要求を受信し、所望の位置情報要素の一部、又は、全てがサポートされないか判断する。また、コントローラーモジュールは、ワイヤレスモジュールにより、サポートされない位置情報要素を示す位置情報応答だけをサービスネットワークに伝送し、サポートされない所望の位置情報要素の一部、又は、全てに応答する。
【０００６】
本発明の別の態様中、アクセスノードと制御ノードを有するサービスネットワークが提供される。アクセスノードは、携帯通信装置間の無線伝送と受信を実行する。制御ノードは、アクセスノードにより、携帯通信装置から、複数の所望の位置支援データ要素を示す位置支援データ要求を受信し、所望の位置支援データ要素の一部、又は、全てが示されないか判断する。また、制御ノードは、アクセスノードにより、サポートされない位置支援データ要素を含む位置支援データ応答だけを携帯通信装置に伝送し、サポートされない所望の位置支援データ要素の一部、又は、全てに応答する。
【０００７】
本発明の別の態様中、携帯通信装置の位置情報を通知する方法が提供される。本方法は、サービスネットワークから、複数の所望の位置情報要素を示す位置情報要求を受信するステップと、携帯通信装置により、所望の位置情報要素の一部、又は、全てがサポートされないか判断するステップと、携帯通信装置により、サポートされない位置情報要素を含む位置情報応答だけをサービスネットワークに伝送し、サポートされない所望の位置情報要素の一部、又は、全てに応答するステップと、を含む。
【０００８】
本発明の別の態様中、サービスネットワークの位置情報を通知する方法が提供される。本方法は、サービスネットワークにより、携帯通信装置から、複数の所望の位置支援データ要素を示す位置支援データ要求を受信するステップと、サービスネットワークにより、所望の位置支援データ要素の一部、又は、全てがサポートされないか判断するステップと、サービスネットワークにより、サポートされない位置支援データ要素を含む位置支援データ応答だけを携帯通信装置に伝送して、サポートされない所望の位置支援データ要素の一部、又は、全てに応答するステップと、を含む。
【発明の効果】
【０００９】
本発明により、サポートされない位置ＩＥは、ＬＰＰ能力提供メッセージ、又は、ＬＰＰ位置情報提供メッセージだけにより、サービスネットワークに示され、追加的指示メッセージが不要である。
【図面の簡単な説明】
【００１０】
【図１】本発明の実施形態による移動通信環境を示す図である。
【図２】本発明の実施形態によるサービスネットワークにより初期化される位置能力伝送を示すメッセージシーケンスチャートである。
【図３】本発明の実施形態によるサービスネットワークにより初期化される位置情報伝送を示すメッセージシーケンスチャートである。図である。
【図４】本発明の実施形態による携帯通信装置により初期化される支援データ伝送を示すメッセージシーケンスチャートである。
【図５】本発明の実施形態による携帯通信装置の位置情報を通知する方法のフローチャートである。
【図６】本発明の実施形態によるサービスネットワークの位置情報を通知する方法のフローチャートである。
【発明を実施するための形態】
【００１１】
以下の記述は本発明を実施する最適なモードであり、以下の最適なモードは、図面と共に説明される。ただし、以下の実施形態は、本発明を実施する代表的な例であり、本発明の全ての方式を表すものではない。３ＧＰＰ仕様が用いられて、本発明の精神を示しているが、本発明はこれに限定されない。
【００１２】
３６．３０５仕様によると、サポートされない情報の追加的指示に関し、別のＬＴＥ位置プロトコル（Ｐｏｓｉｔｉｏｎｉｎｇ  Ｐｒｏｔｏｃｏｌ）（ＬＰＰ）メッセージとみなされる。しかし、本発明は、一般応答だけを用いて、追加的指示の情報を運ぶことを提案するので、追加的指示が省略されて、ネットワークリソースを節約し、位置工程の効率を改善する。
【００１３】
図１は、本発明の実施形態による移動通信環境を示す図である。移動通信環境１００中、携帯通信装置１１０は、無線方式でサービスネットワーク１２０に接続されて、無線通信サービスを得る。サービスネットワーク１２０は、アクセスノード１２１、制御ノード１２２、及び、コアネットワーク１２３を含む。図では、制御ノード１２２とコアネットワーク１２３は、サービスネットワーク１２０の独立したコンポーネントであるが、制御ノード１２２とコアネットワーク１２３は単一コンポーネントに整合することもでき、本発明はこれに限定されない。一般に、アクセスノード１２１は、セルラー局、又は、基地局で、無線範囲内のＵＥに無線アクセスを提供する。移動通信装置１１０はワイヤレスモジュール１１１を含み、サービスネットワーク１２０間の無線伝送と受信の機能を実行する。詳細には、ワイヤレスモジュール１１１は、ベースバンドユニット（図示しない）と無線周波数（ＲＦ）ユニット（図示しない）を含む。ベースバンドユニットは複数のハードウェア装置を含み、アナログデジタル変換（ＡＤＣ）／デジタルアナログ変換（ＤＡＣ）、利得調整、変調／復調、符号化／復号化等を含むベースバンド信号処理を実行する。ＲＦユニットはＲＦ無線信号を受信し、受信したＲＦ無線信号をベースバンド信号に転換し、ベースバンドユニットにより処理されるか、又は、ベースバンドユニットから、ベースバンド信号を受信して、受信したベースバンド信号をＲＦ無線信号に転換し、後に伝送する。ＲＦユニットは複数のハードウェア装置を含み、無線周波数変換を実行する。例えば、ＲＦユニットはミキサーを有し、ベースバンド信号と無線通信システムの無線周波数で発振するキャリアを多重化し、無線周波数は、ＷＣＤＭＡシステムに用いられる９００ＭＨｚ、１９００ＭＨｚ、又は、２１００ＭＨｚ、又は、ＬＴＥシステムに用いられる９００ＭＨｚ、２１００ＭＨｚ、又は、２．６ＧＨｚ、又は、その他の無線アクセス技術（ＲＡＴ）に基づく。また、移動通信装置１１０はコントローラーモジュール１１２を含み、ワイヤレスモジュール１１１と別の機能部品、例えば、ディスプレイユニット、及び／又は、ＭＭＩ（ｍａｎ−ｍａｃｈｉｎｅ  ｉｎｔｅｒｆａｃｅ）として作用するキーパッド、アプリケーション、又は、通信プロトコルのプログラムコードを保存するストレージユニットの操作を制御する。一実施形態中、サービスネットワーク１２０はＬＴＥネットワークで、携帯通信装置１１０は、ＬＴＥ技術の３６．３０５仕様と別の関連仕様に準拠するＵＥである。または、携帯通信装置１１０は、複数の無線技術、例えば、ＧＳＭ技術、ＷＣＤＭＡ技術、ＣＤＭＡ２０００技術、ＴＤ−ＳＣＤＭＡ技術、及び、ＷｉＭＡＸ技術をサポートするＵＥであるが、本発明はこれに限定されない。
【００１４】
明確には、コントローラーモジュール１１２はワイヤレスモジュール１１１を制御し、サービスネットワーク１２０と位置工程を実行する。位置工程は、携帯通信装置１１０、又は、サービスネットワーク１２０により初期化され、位置能力、支援データ、及び、位置工程に関する位置情報を含む位置情報と通信する。図２は、本発明の実施形態によるサービスネットワークにより初期化される位置能力伝送を示すメッセージシーケンスチャートである。まず、コントローラーモジュール１１２は、ワイヤレスモジュール１１１により、サービスネットワーク１２０から、ＬＰＰ能力要求メッセージを受信し、ＬＰＰ能力要求メッセージは、少なくとも一つの所望の位置情報要素（ＩＥｓ）を示す（ステップＳ２１０）。更に詳細には、各位置ＩＥは、携帯通信装置１１０が、ＬＰＰに定義された特定の配置方法、特定の配置方法の特定態様、又は、共通機能を複数の配置方法にサポートできるようにする。つまり、携帯通信装置１１０は、ＲＡＴに基づいて、オートノーマスグローバルポジショニングシステム（ＧＰＳ）／全地球的航法衛星システム（ＧＡＮＳＳ）、補助−ＧＰＳ（Ａ−ＧＰＳ）／補助−ＧＡＮＳＳ（Ａ−ＧＡＮＳＳ）  ＳＥＴ、Ａ−ＧＰＳ（Ａ−ＧＡＮＳＳ）  ＳＥＴベース、エンハンスドＣｅｌｌ  ＩＤ（ＥＣＩＤ）、エンハンスト観測時間差（Ｅ−ＯＴＤ）、及び、観察到着時間差（ＯＴＤＯＡ）を含む複数の配置方法の一つ、又は、それ以上をサポートする。次に、コントローラーモジュール１１２は、所望の位置ＩＥの一部、又は、全てがサポートされないか判断する（ステップＳ２２０）。その場合、コントローラーモジュール１１２は、ワイヤレスモジュール１１１により、ＬＰＰ能力提供メッセージだけをサービスネットワーク１２０に伝送して、位置工程を終了し、ＬＰＰ能力提供メッセージは、サポートされない位置ＩＥを示す（ステップＳ２３０）。特に、サポートされない位置ＩＥは、３６．３０５仕様と３ＧＰＰ  ＴＳ  ３６．３５５仕様，ｖ．９．３．０（３６．３５５  仕様と称される）に従って、ＬＰＰ能力提供メッセージの現在のパラメータにより示され、ＬＰＰ能力提供メッセージの現在のパラメータの詳細は３６．３０５仕様と３ＧＰＰ  ＴＳ  ３６．３５５仕様を参照する。サポートされない位置ＩＥのほかに、サポートされる別の位置ＩＥがある場合、ＬＰＰ能力提供メッセージは、サポート位置ＩＥ（ｓ）を含む。反対に、全所望の位置ＩＥがサポートされない場合、コントローラーモジュール１１２は、ワイヤレスモジュール１１１により、所望の位置ＩＥを含むＬＰＰ能力提供メッセージをサービスネットワーク１２０に伝送する。別の実施形態中、全所望の位置ＩＥがサポートされない場合、コントローラーモジュール１１２は、ＬＰＰ能力提供メッセージをサービスネットワーク１２０に伝送しないで、ＬＰＰ能力要求メッセージを放棄、又は、無視する。
【００１５】
図３は、本発明の実施形態によるサービスネットワークにより初期化される位置情報伝送を示すメッセージシーケンスチャートである。まず、コントローラーモジュール１１２は、ワイヤレスモジュール１１１により、サービスネットワーク１２０から、ＬＰＰ位置情報要求メッセージを受信し、ＬＰＰ位置情報要求メッセージは、少なくとも一つの所望の位置ＩＥを示す（ステップＳ３１０）。この実施形態中、各位置ＩＥは、実際の位置推定、又は、位置計算に用いられる値、例えば、無線測定結果、又は、位置測定結果である。続いて、コントローラーモジュール１１２は、所望の位置ＩＥの一部、又は、全てがサポートされないか判断する（ステップＳ３２０）。その場合、コントローラーモジュール１１２は、ワイヤレスモジュール１１１により、ＬＰＰ位置情報提供メッセージだけをサービスネットワーク１２０に伝送し、位置工程を終了し、ＬＰＰ位置情報提供メッセージは、サポートされない位置ＩＥを含む（ステップＳ３３０）。明確には、３６．３０５仕様と３６．３５５仕様に従って、サポートされない位置ＩＥは、ＬＰＰ位置情報提供メッセージの現在のパラメータにより示され、ＬＰＰ位置情報提供メッセージの現在のパラメータの詳細は３６．３０５仕様と３ＧＰＰ  ＴＳ  ３６．３５５仕様を参照する。例えば、サポートされない位置ＩＥがＯＴＤＯＡ配置方法に対応する場合、サポートされない位置ＩＥは、ＬＰＰ位置情報提供メッセージ中の“ＯＴＤＯＡ−Ｅｒｒｏｒ”  ＩＥにより示される。特に、“ＯＴＤＯＡ−Ｅｒｒｏｒ”  ＩＥ中の“ＯＴＤＯＡ−ＴａｒｇｅｔＤｅｖｉｃｅＥｒｒｏｒＣａｕｓｅｓ”  ＩＥが用いられて、エラー原因を明記する。サポートされない位置ＩＥがＡ−ＧＮＳＳ配置方法に対応する場合、サポートされない位置ＩＥは、ＬＰＰ位置情報提供メッセージ中の“Ａ−ＧＮＳＳ−Ｅｒｒｏｒ”  ＩＥにより示される。特に、“Ａ−ＧＮＳＳ−Ｅｒｒｏｒ”  ＩＥ中の“Ａ−ＧＮＳＳ−ＴａｒｇｅｔＤｅｖｉｃｅＥｒｒｏｒＣａｕｓｅｓ”  ＩＥが用いられて、エラー原因を明記する。サポートされない位置ＩＥがＥＣＩＤ配置方法に対応する場合、サポートされない位置ＩＥは、ＬＰＰ位置情報提供メッセージ中の“ＥＣＩＤ−Ｅｒｒｏｒ”  ＩＥにより示される。特に、“ＥＣＩＤ−Ｅｒｒｏｒ”  ＩＥ中の“ＥＣＩＤ−ＴａｒｇｅｔＤｅｖｉｃｅＥｒｒｏｒＣａｕｓｅｓ”  ＩＥが用いられて、エラー原因を明記する。所望の全位置ＩＥがサポートされない場合、ＬＰＰ位置情報提供メッセージは“ＣｏｍｍｏｎＩＥｓＰｒｏｖｉｄｅＬｏｃａｔｉｏｎＩｎｆｏｒｍａｔｉｏｎ”  ＩＥを含み、エラー原因は、“ＬｏｃａｔｉｏｎＥｒｒｏｒ”  ＩＥで示される。一方、サポートされない位置ＩＥは、サポートされる別の位置ＩＥがある場合、ＬＰＰ位置情報提供メッセージは、サポートされる位置ＩＥ（ｓ）を含む。反対に、全所望の位置ＩＥがサポートされる場合、コントローラーモジュール１１２は、ワイヤレスモジュール１１１により、所望の位置ＩＥを含むＬＰＰ位置情報提供メッセージをサービスネットワーク１２０に伝送する。
【００１６】
図４は、本発明の実施形態による携帯通信装置により初期化される支援データ伝送を示すメッセージシーケンスチャートである。まず、コントローラーモジュール１１２は、ワイヤレスモジュール１１１により、ＬＰＰ支援データ要求メッセージをサービスネットワーク１２０に伝送し、ＬＰＰ支援データ要求メッセージは、少なくとも一つの所望の位置支援データ要素を示す（ステップＳ４１０）。この実施形態中、各位置支援データ要素は、携帯通信装置１１０に適用される特定の配置方法に必要な支援データである。ＬＰＰ支援データ要求メッセージを受信する時、サービスネットワーク１２０は、まず、所望の位置支援データ要素の一部、又は、全部がサポートされないか判断し（ステップＳ４２０）、その場合、ＬＰＰ支援データ要求メッセージだけを携帯通信装置１１０に伝送して、位置工程を終了し、ＬＰＰ支援データ提供メッセージは、サポートされない位置支援データ要素を含む（ステップＳ４３０）。更に詳しくは、サポートされない位置支援データ要素は、３６．３０５仕様と３６．３５５仕様に従って、ＬＰＰ支援データ提供メッセージの現在のパラメータにより示され、参照は、ＬＰＰ支援データメッセージの現在のパラメータの詳細は３６．３０５仕様と３６．３５５仕様を参照する。例えば、サポートされない位置ＩＥがＯＴＤＯＡ配置方法に対応する場合、サポートされない位置ＩＥは、ＬＰＰ支援データ要求メッセージ中の“ＯＴＤＯＡ−Ｅｒｒｏｒ”  ＩＥにより示される。特に、“ＯＴＤＯＡ−Ｅｒｒｏｒ”  ＩＥ中の“ＯＴＤＯＡ−ＬｏｃａｔｉｏｎＳｅｒｖｅｒＥｒｒｏｒＣａｕｓｅｓ”  ＩＥが用いられて、エラー原因を明記する。サポートされない位置ＩＥがＡ−ＧＮＳＳ配置方法に対応する場合、サポートされない位置ＩＥは、ＬＰＰ支援データ要求メッセージ中の“Ａ−ＧＮＳＳ−Ｅｒｒｏｒ”  ＩＥにより示される。特に、“Ａ−ＧＮＳＳ−Ｅｒｒｏｒ”  ＩＥ中の“Ａ−ＧＮＳＳ−ＬｏｃａｔｉｏｎＳｅｒｖｅｒＥｒｒｏｒＣａｕｓｅｓ”  ＩＥが用いられて、エラー原因を明記する。一方、サポートされない位置ＩＥは、サポートされる別の位置ＩＥがある場合、ＬＰＰ支援データ提供メッセージは、サポートされる位置ＩＥを含む。反対に、全所望の位置ＩＥがサポートされる場合、サービスネットワーク１２０は、所望の位置支援データ要素を含むＬＰＰ支援データ要求メッセージを携帯通信装置１１０に伝送する。
【００１７】
注意すべきことは、図２から４で、位置工程期間の要求側は、サポートされない位置ＩＥを示す一般応答により、要求側だけに応答し、追加的指示メッセージを利用しなくてもよいことである。
【００１８】
図５は、本発明の実施形態による携帯通信装置の位置情報を通知する方法のフローチャートである。携帯通信装置は、無線方式でサービスネットワークに接続され、位置工程を実行する。位置工程は、携帯通信装置とサービスネットワークに実行されて、位置能力、及び、位置工程に関する位置情報を含む位置情報と通信する。この実施形態中、位置工程はサービスネットワークにより初期化される。移動通信環境１００を例とすると、まず、携帯通信装置１１０は、サービスネットワーク１２０から、複数の所望の位置ＩＥを示す位置情報要求を受信する（ステップＳ５１０）。位置情報要求はＬＰＰ能力要求メッセージで、各所望の位置ＩＥは、携帯通信装置１１０に、ＬＰＰに定義された特定の配置方法、特定の配置方法の特定態様、又は、共通機能を、複数の配置方法にサポートできるようにする。又は、位置情報要求はＬＰＰ位置情報要求メッセージで、各所望の位置ＩＥは、実際の位置推定、又は、位置計算に用いられる値、例えば、無線測定結果、又は、位置測定結果である。位置情報要求に応答するため、携帯通信装置１１０はまず、位置情報要求がＬＰＰ能力要求メッセージ、又は、ＬＰＰ位置情報要求メッセージか判断する（ステップＳ５２０）。位置情報要求がＬＰＰ能力要求メッセージの場合、携帯通信装置１１０は、その後、所望の位置ＩＥの一部、又は、全てがサポートされないか判断する（ステップＳ５３０）。全所望の位置ＩＥがサポートされない場合、携帯通信装置１１０は、位置情報要求を放棄、又は、無視して、位置工程を終了する（ステップＳ５４０）。これは、サービスネットワーク１２０が、その能力に要求する前に、携帯通信装置１１０が少なくとも位置方法をサポートすることを既に知っているからである。反対に、ある所望の位置ＩＥがサポートされない場合、携帯通信装置１１０は、サポートされない位置ＩＥを示すＬＰＰ能力提供メッセージだけを、サービスネットワーク１２０に伝送する（ステップＳ５５０）。サポートされない位置ＩＥの指示に加え、ＬＰＰ能力提供メッセージは、更に、携帯通信装置１１０によりサポートされる別の位置ＩＥを有する。更に、全部の所望の位置ＩＥがサポートされる場合、携帯通信装置１１０は、所望の位置ＩＥを含むＬＰＰ能力提供メッセージをサービスネットワーク１２０に伝送する（ステップＳ５６０）。
【００１９】
次に、ステップＳ５２０で、位置情報要求がＬＰＰ位置情報要求メッセージの場合、携帯通信装置１１０は、その後、所望の位置ＩＥの一部、又は、全てがサポートされないか判断する（ステップＳ５７０）。所望の位置ＩＥの一部、又は、全てがサポートされない場合、携帯通信装置１１０は、その後、サポートされない位置ＩＥを含むＬＰＰ位置情報提供メッセージをサービスネットワーク１２０に伝送する（ステップＳ５８０）。サポートされない位置ＩＥの指示に加え、ＬＰＰ位置情報提供メッセージは、更に、携帯通信装置１１０によりサポートされる別の位置ＩＥを有する。反対に、全部の所望の位置ＩＥがサポートされる場合、携帯通信装置１１０は、所望の位置ＩＥを含むＬＰＰ位置情報提供メッセージをサービスネットワーク１２０に伝送する（ステップＳ５９０）。ＬＰＰ能力提供メッセージ、又は、ＬＰＰ位置情報提供メッセージ中のサポートされない位置ＩＥの指示に関し、詳細は３６．３０５仕様と３６．３５５仕様を参照する。注意すべきことは、サポートされない位置ＩＥは、ＬＰＰ能力提供メッセージ、又は、ＬＰＰ位置情報提供メッセージだけにより、サービスネットワーク１２０に示され、追加的指示メッセージが不要なことである。
【００２０】
図６は、本発明の実施形態によるサービスネットワークの位置情報を通知する方法のフローチャートである。サービスネットワークは、無線アクセスを携帯通信装置に提供し、位置工程を実行する。位置工程は、携帯通信装置とサービスネットワークに実行されて、例えば、位置工程に関する支援データ間の位置情報と通信する。この実施形態中、位置工程は携帯通信装置により初期化する。移動通信環境１００を例とすると、まず、サービスネットワーク１２０は、携帯通信装置１１０から、複数の所望の支援データを示すＬＰＰ支援データ要求メッセージを受信する（ステップＳ６１０）。次に、サービスネットワーク１２０は、一部、又は、全ての所望の支援データがサポートされないか判断する（ステップＳ６２０）。一部、又は、全ての所望の支援データがサポートされない場合、サービスネットワーク１２０は、サポートされない支援データを含むＬＰＰ支援データ要求メッセージだけを携帯通信装置１１０に伝送する（ステップＳ６３０）。サポートされない支援データの指示に加え、ＬＰＰ支援データ要求メッセージは、更に、携帯通信装置１１０によりサポートされる別の支援データを含む。サポートされない支援データの指示に関し、詳細は、３６．３０５仕様と３６．３５５仕様を参照する。反対に、全部の所望の支援データがサポートされる場合、サービスネットワーク１２０所望の支援データを含むＬＰＰ支援データ要求メッセージを携帯通信装置１１０に伝送する（ステップＳ６４０）。注意すべきことは、サポートされない支援データは、ＬＰＰ支援データ要求メッセージだけにより、携帯通信装置１１０に示され、追加的指示メッセージが不要なことである。
【００２１】
本発明では好ましい実施例を前述の通り開示したが、これらは決して本発明に限定するものではなく、当該技術を熟知する者なら誰でも、本発明の精神と領域を脱しない範囲内で各種の変動や改良を加えることができ、従って本発明の保護範囲は、特許請求の範囲で指定した内容を基準とする。
【符号の説明】
【００２２】
１００  移動通信環境
１１０  携帯通信装置
１１１  ワイヤレスモジュール
１１２  コントローラーモジュール
１２０  サービスネットワーク
１２１  アクセスノード
１２２  制御ノード
１２３  コアネットワーク
【図１】
2011254456.tif 000003
【図２】
2011254456.tif 000004
【図３】
2011254456.tif 000005
【図４】
2011254456.tif 000006
【図５】
2011254456.tif 000007
【図６】
2011254456.tif 000008
【外国語明細書】
2011254456000001.pdf
2011254456000002.pdf
2011254456000003.pdf
2011254456000004.pdf